(57)【要約】【課題】  ボールジョイントを保護するプロテクタが，そのボールジョイントに確実に固着されるようにする。【解決手段】  プロテクタ６は，プロテクタ本体７とその端部７ｃに嵌合されるキャップ８とからなっている。プロテクタ本体７の端部７ｃにはスリット９が設けられている。また，その端部７ｃには，大径外周部ｐと小径外周部ｑとが設けられている。一方，キャップ８の内面には，プロテクタ本体７の端部７ｃに設けられる大径外周部ｐ及び小径外周部ｑとそれぞれほぼ同径の大径内周部ｓ及び小径内周部ｔが設けられている。キャップ８を軸線方向に移動させてその内面の小径内周部ｔをプロテクタ本体７の端部７ｃの大径外周部ｐに係合させると，その端部７ｃが内側に向けて押圧されるので，プロテクタ６がボールジョイント１のねじ部２ｃに固着される。【選択図】        図３
2005054838.tif 000002
【特許請求の範囲】
【請求項１】
球頭部（２ａ）とその球頭部（２ａ）から延出する柄部（２ｂ）とを有し，その柄部（２ｂ）の端部外周にねじ部（２ｃ）が形成されているボールスタッド（２）と，
そのボールスタッド（２）の球頭部（２ａ）を保持するハウジング（３）と，
一端側の大径開口部（４ａ）が前記ハウジング（３）の外周に装着されるとともに，他端側の小径開口部（４ｂ）が前記ボールスタッド（２）の柄部（２ｂ）の外周に装着されるブーツ（４）と，を備えたボールジョイント（１）を保護するためのボールジョイントのプロテクタ（６）において，
前記ボールスタッド（２）の柄部（２ｂ）を保護する柄部プロテクト部（７ｂ）及び前記ブーツ（４）を保護するブーツプロテクト部（７ａ）を有するプロテクタ本体（７）と，前記柄部プロテクト部（７ｂ）の端部（７ｃ）外周に嵌合されるキャップ（８）とからなり，
前記柄部プロテクト部（７ｂ）の端部（７ｃ）に，軸線方向に延びるスリット（９）が設けられるとともに，その柄部プロテクト部（７ｂ）の端部（７ｃ）に，外径の大きい大径外周部（ｐ）とその大径外周部（ｐ）よりも外径の小さい小径外周部（ｑ）とが軸線方向に連続して設けられ，
前記キャップ（８）の内面に，前記柄部プロテクト部（７ｂ）の大径外周部（ｐ）の外径にほぼ等しい内径を有する大径内周部（ｓ）と前記柄部プロテクト部（７ｂ）の小径外周部（ｑ）の外径にほぼ等しい内径を有する小径内周部（ｔ）とが軸線方向に連続して設けられていて，
前記キャップ（８）の内面の小径内周部（ｔ）が前記柄部プロテクト部（７ｂ）の小径外周部（ｑ）に対向する位置から大径外周部（ｐ）に対向する位置へと前記キャップ（８）を軸線方向に移動させることにより，前記柄部プロテクト部（７ｂ）の端部（７ｃ）が前記ボールスタッド（２）のねじ部（２ｃ）に押圧されるようにされていることを特徴とする，ボールジョイントのプロテクタ。
【請求項２】
請求項１記載のボールジョイントのプロテクタにおいて，
前記プロテクタ本体（７）の柄部プロテクト部（７ｂ）の端部（７ｃ）に設けられる大径外周部（ｐ）が，その端部（７ｃ）の大径外周部（ｐ）側から小径外周部（ｑ）側に向かって漸次大径となるテーパ形状に形成されるとともに，
前記キャップ（８）の内面の小径内周部（ｔ）が，その内面の大径内周部（ｓ）側から小径内周部（ｔ）側に向かって漸次大径となるテーパ形状に形成されていることを特徴とする，ボールジョイントのプロテクタ。
【発明の詳細な説明】
【技術分野】
【０００１】
本発明は，自動車のサスペンションなどに用いられるボールジョイントを，その搬送中や組み付け中に保護するためのプロテクタに関する。
【背景技術】
【０００２】
一般に，自動車のサスペンションにはボールジョイントが用いられる。ボールジョイントは，球頭部から延出する柄部を有するボールスタッドと，そのボールスタッドの球頭部を保持するハウジングとからなるもので，そのハウジングとボールスタッドとの間には，ハウジングの内面とボールスタッドの球頭部外面との間に異物が侵入するのを防止するために，ゴム製のブーツが装着される。そのブーツは，一端側の大径開口部がハウジングに装着され，他端側の小径開口部がボールスタッドの柄部の外周に装着される。また，ボールスタッドの柄部の他端部には，車輪等の他の部品に接続するためのねじ部が設けられる。
【０００３】
ところで，そのようなボールジョイントは，一般に，部品工場において製作された後，自動車の組立工場に搬送される。したがって，その間には他の物品と衝突することがある。そのように他の物品と衝突すると，ボールスタッドのねじ部がつぶれたり，ブーツが裂けたりするおそれがある。そこで，ボールジョイントは，通常，樹脂製のプロテクタをかぶせた状態で出荷される。
【０００４】
そのようなプロテクタとして従来知られているものには，特許文献１に記載されているようなものがある。そのプロテクタは，ボールスタッドのねじ部に対向する上端部内周面を，下方に向かって小径となるテーパ状のカム面とし，その上端部内周面とねじ部外周との間にプラグを押し込むようにしたものである。そのようなプロテクタによれば，プラグを押し込むと，くさび作用によりそのプラグがボールスタッドのねじ部に押し付けられ，プラグの内周面がねじ部に食い込むので，プラグとボールスタッドとが確実に固着される。そして，プロテクタの上端部は，逆にプラグによって押し広げられるので，その間の摩擦によってプロテクタとプラグとが固定される。したがって，プロテクタとボールジョイントとが互いに固着される。
【特許文献１】米国特許第５，４９８，０９２号明細書
【発明の開示】
【発明が解決しようとする課題】
【０００５】
しかしながら，上記特許文献１に記載されているようなものでは，プラグを押し込むとき，そのプラグの内周面がボールジョイントのねじ部に押し付けられ，その状態でプラグが軸線方向に移動することになるので，そのねじ部によってプラグの内周面が削られる。そのために，予定していたほどの固着力が得られないという問題がある。
【０００６】
本発明は，かかる事情に鑑みてなされたもので，高い強度をもってボールジョイントに固着することのできるボールジョイントのプロテクタを提供することを目的とする。
【課題を解決するための手段】
【０００７】
上記目的を達成するために，本発明は，球頭部とその球頭部から延出する柄部とを有し，その柄部の端部外周にねじ部が形成されているボールスタッドと，そのボールスタッドの球頭部を保持するハウジングと，一端側の大径開口部が前記ハウジングの外周に装着されるとともに，他端側の小径開口部が前記ボールスタッドの柄部の外周に装着されるブーツと，を備えたボールジョイントを保護するためのボールジョイントのプロテクタにおいて，前記ボールスタッドの柄部を保護する柄部プロテクト部及び前記ブーツを保護するブーツプロテクト部を有するプロテクタ本体と，前記柄部プロテクト部の端部外周に嵌合されるキャップとからなり，前記柄部プロテクト部の端部に，軸線方向に延びるスリットが設けられるとともに，その柄部プロテクト部の端部に，外径の大きい大径外周部とその大径外周部よりも外径の小さい小径外周部とが軸線方向に連続して設けられ，前記キャップの内面に，前記柄部プロテクト部の大径外周部の外径にほぼ等しい内径を有する大径内周部と前記柄部プロテクト部の小径外周部の外径にほぼ等しい内径を有する小径内周部とが軸線方向に連続して設けられていて，前記キャップの内面の小径内周部が前記柄部プロテクト部の小径外周部に対向する位置から大径外周部に対向する位置へと前記キャップを軸線方向に移動させることにより，前記柄部プロテクト部の端部が前記ボールスタッドのねじ部に押圧されるようにされていることを第１の特徴とする。
【０００８】
また，本発明は，上記第１の特徴に加えて，前記プロテクタ本体の柄部プロテクト部の端部に設けられる大径外周部が，その端部の大径外周部側から小径外周部側に向かって漸次大径となるテーパ形状に形成されるとともに，前記キャップの内面の小径内周部が，その内面の大径内周部側から小径内周部側に向かって漸次大径となるテーパ形状に形成されていることを第２の特徴とする。
【発明の効果】
【０００９】
上記第１の特徴によれば，プロテクタ本体の端部外周に嵌合するキャップを軸線方向に移動させるのみで，プロテクタの柄部プロテクト部の端部がボールスタッドのねじ部に向けて押し付けられるようになるので，そのねじ部に固着される柄部プロテクト部の端部内周面が削られることはない。したがって，プロテクタをボールジョイントに強固に固着することができる。
【００１０】
また，上記第２の特徴によれば，キャップを軸線方向に移動させてそのキャップの内面の小径内周部をプロテクタ本体の柄部プロテクト部の大径外周部に対向させたとき，それらがテーパ面で係合することになるので，外力を加えない限り，キャップがその位置から軸線方向に移動することが防止される。したがって，プロテクタがボールジョイントから外れることを防止することができる。
【発明を実施するための最良の形態】
【００１１】
本発明の実施の形態を，添付図面に示す本発明の好適な実施例に基づいて説明する。
【００１２】
図中，図１〜図９は本発明によるボールジョイントのプロテクタの第１実施例を示すもので，図１はそのプロテクタをボールジョイントにかぶせた状態を示す斜視図，図２はその平面図，図３は図２の３−３線に沿う断面図で，そのボールジョイントをサスペンションのコントロールアームに組み付けた状態を示す図，図４はプロテクタの分解斜視図，図５は図４のプロテクタの縦断面図，図６はプロテクタをボールジョイントにかぶせた状態を示す要部の拡大断面図，図７は図６の７−７線に沿う断面図，図８はプロテクタをボールジョイントに固着した状態を示す図６と同様の断面図，図９は図８の９−９線に沿う断面図である。
【００１３】
まず，ボールジョイントについて説明する。
【００１４】
図１〜４に示すように，ボールジョイント１は，ボールスタッド２と，ハウジング３と，ブーツ４とを備えている。ボールスタッド２は，球状の球頭部２ａと，その球頭部２ａから延出する柄部２ｂとを有しており，その柄部２ｂの端部外周にはねじ部２ｃが形成されている。ハウジング３は，ボールスタッド２の球頭部２ａを保持する。こうして，ボールスタッド２は，ハウジング３に対していずれの方向にも揺動可能で，かつ軸線まわりの回転も可能に支持されている。ブーツ４は，一端側に大径開口部４ａを有し，他端側に小径開口部４ｂを有するゴム製筒状のもので，その大径開口部４ａがハウジング３の外周に装着されるとともに，小径開口部４ｂがボールスタッド２の柄部２ｂの外周に装着され，それによってハウジング３とボールスタッド２との間が密封されるようになっている。
【００１５】
図３に示すように，このボールジョイント１は，そのハウジング３をサスペンションのコントロールアーム５に嵌合させる。そして，そのボールスタッド２のねじ部２ｃは車輪側の部品に接続される。
【００１６】
次に，このボールジョイント１を保護するためのプロテクタについて説明する。
【００１７】
図１〜５に示すように，プロテクタ６は，プロテクタ本体７とキャップ８とからなっている。そのプロテクタ本体７は，ブーツ４を保護するブーツプロテクト部７ａと，ボールスタッド２の柄部２ｂを保護する柄部プロテクト部７ｂとを有する段付き円筒状のもので，樹脂によって一体成形されている。ブーツプロテクト部７ａは，ブーツ４を完全に覆い得る形状とされ，柄部プロテクト部７ｂは，ボールスタッド２の柄部２ｂよりやや大径とされている。そして，そのプロテクタ本体７をボールジョイント１にかぶせたときには，図３に示すように，柄部プロテクト部７ｂの下端がブーツ４の小径開口部４ｂ側の端面上に載置され，それによって支持されるようになっている。プロテクタ本体７の高さは，そのときボールスタッド２のねじ部２ｃの先端部がプロテクタ本体７の上端からわずかに突出する程度の高さとされている。
【００１８】
プロテクタ本体７の柄部プロテクト部７ｂの端部７ｃ，すなわちボールスタッド２のねじ部２ｃに対向する部分には，軸線方向に延びる４本のスリット９，９…が，周方向に等間隔を置いて設けられている。また，その端部７ｃには，図で上側に外径の大きい大径外周部ｐが設けられ，その下側に，大径外周部ｐよりも外径の小さい小径外周部ｑが連続して設けられている。その大径外周部ｐと小径外周部ｑとの間はテーパ面を介して滑らかにつながれている。大径外周部ｐは，大径外周部ｐ側から小径外周部ｑ側に向かって，すなわち図で下方に向かって，漸次大径となるテーパ形状に形成されている。
【００１９】
柄部プロテクト部７ｂの最先端部には，内側に向かって突出するフランジ部１０が設けられている。そのフランジ部１０の内側に形成される開口の径は，ボールスタッド２のねじ部２ｃの外径とほぼ等しい大きさとされている。また，そのフランジ部１０の厚さは，ボールスタッド２のねじ部２ｃのねじ溝と係合し得る程度の厚さとされている。更に，そのフランジ部１０の外径は大径外周部ｐの外径よりもやや大きくされ，それによって後述するようなストッパが形成されている。
【００２０】
キャップ８は，樹脂製円筒状のもので，プロテクタ本体７の柄部プロテクト部７ｂの端部７ｃ外周に嵌合されるようになっている。そのキャップ８の高さは，ボールジョイント１にかぶせたプロテクタ本体７の柄部プロテクト部７ｂの端部７ｃ外周に嵌合させたとき，そのプロテクタ本体７から突出するボールスタッド２のねじ部２ｃの先端部を完全に覆い得るだけの高さとされている。
【００２１】
キャップ８の内面には，図で上側に内径の大きい大径内周部ｓが設けられ，その下側に，大径内周部ｓよりも内径の小さい小径内周部ｔが連続して設けられている。その大径内周部ｓと小径内周部ｔとの間はテーパ面を介して滑らかにつながれている。小径内周部ｔは，大径内周部ｓ側から小径内周部ｔ側に向かって，すなわち図で下方に向かって，漸次大径となるテーパ形状に形成されている。それら大径内周部ｓ及び小径内周部ｔの各内径は，上記プロテクタ本体７の端部７ｃに形成されている大径外周部ｐ及び小径外周部ｑの各外径とそれぞれほぼ等しい大きさとされている。
【００２２】
また，キャップ８の上端外周には，そのキャップ８を軸線方向に移動させやすくするためのフランジ１１が設けられている。
【００２３】
次に，このように構成されたプロテクタ６の作用について説明する。
【００２４】
ボールジョイント１にプロテクタ６を取り付けるときには，まず，プロテクタ本体７の柄部プロテクト部７ｂの端部７ｃ外周にキャップ８を嵌合させる。そして，そのキャップ８を下限まで押し込む。すると，図６に示すように，キャップ８の内面の大径内周部ｓ及び小径内周部ｔがプロテクタ本体７の柄部プロテクト部７ｂの端部７ｃの大径外周部ｐ及び小径外周部ｑにそれぞれ対向する状態となる。そして，上述のようにキャップ８の内面の大径内周部ｓ及び小径内周部ｔの各内径と柄部プロテクト部７ｂの端部７ｃの大径外周部ｐ及び小径外周部ｑの各外径とがほぼ等しい大きさとされているので，その状態では，プロテクタ本体７は元の形状で保持される。
【００２５】
そこで，その状態でプロテクタ６をボールジョイント１にかぶせる。すると，ボールスタッド２のねじ部２ｃがプロテクタ本体７の柄部プロテクト部７ｂの端部７ｃに挿通される。そして，図３に示すように，柄部プロテクト部７ｂの下端をブーツ４の小径開口部４ｂ側の端面上に載置させると，ボールスタッド２のねじ部２ｃの先端部が柄部プロテクト部７ｂの最先端部に形成されているフランジ部１０の内側開口を貫通して柄部プロテクト部７ｂの上端からわずかに突出する。したがって，図６に示すように，そのフランジ部１０がねじ部２ｃに対向することになる。
【００２６】
このようにしてボールジョイント１にかぶせられたプロテクタ６をそのボールジョイント１に固着させるには，片方の手でプロテクタ本体７を押さえながら，他方の手でキャップ８の上端に設けられているフランジ１１をつかんでそのキャップ８を引き上げればよい。そのようにしてキャップ８を軸線方向に移動させると，図８に示すように，キャップ８の内面の小径内周部ｔが，柄部プロテクト部７ｂの端部７ｃに形成されている大径係合部ｐと係合することになる。そして，その小径内周部ｔの上端が柄部プロテクト部７ｂの先端に設けられているフランジ部１０の突出外周部と係合することにより，キャップ８のそれ以上の移動が阻止される。
【００２７】
このようにキャップ８の内面の小径内周部ｔが柄部プロテクト部７ｂの端部７ｃの大径係合部ｐと係合すると，その小径内周部ｔにより，柄部プロテクト部７ｂの端部７ｃが内側に向かって押圧されて変形する。その結果，図８に示すように，柄部プロテクト部７ｂの最先端部に形成されているフランジ部１０がボールスタッド２のねじ部２ｃのねじ溝に係合する。
【００２８】
こうして，プロテクタ６がボールジョイント１に固着される。その場合，柄部プロテクト部７ｂの端部７ｃは，ボールスタッド２のねじ部２ｃに向かって押圧されるのみで，軸線方向に移動することはないので，その端部７ｃの内面がねじ部２ｃによって削られることはない。したがって，その固着力が低下することはなく，プロテクタ６をボールジョイント１に強固に固定することができる。
【００２９】
また，柄部プロテクト部７ｂの端部７ｃに設けられる大径外周部ｐ，及びキャップ８の内面に設けられる小径内周部ｔがともに下方ほど大径のテーパ形状に形成されていることにより，キャップ８を軸線方向に移動させてそのキャップ８の内面の小径内周部ｔを柄部プロテクト部７ｂの大径外周部ｐに対向させたとき，それらがテーパ面で係合することになるので，外力を加えない限り，キャップ８がその位置から軸線方向に移動することが防止される。したがって，プロテクタ６がボールジョイント１から外れることを防止することができる。
【００３０】
プロテクタ６は，ボールジョイント１を自動車のサスペンション等に組み付ける前に予めボールジョイント１から外されるものである。プロテクタ６をボールジョイント１から外すには，キャップ８を下方に向かって押し下げればよい。キャップ８を押し下げると，キャップ８内面の小径内周部ｔがそれとほぼ同径の柄部プロテクト部７ｂの小径外周部ｑに対向することになるので，柄部プロテクト部７ｂの端部７ｃはその弾性により図６に示すような元の形状に戻る。したがって，そのままプロテクタ６を引き上げることにより，ボールジョイント１から外すことができる。
【００３１】
図１０〜図１２は本発明によるボールジョイントのプロテクタの第２実施例を示すもので，図１０はそのプロテクタのキャップをプロテクタ本体から切り離した状態で示す要部の拡大断面図，図１１はキャップを装着したプロテクタをボールジョイントにかぶせた状態を示す同様の断面図，図１２はプロテクタをボールジョイントに固着した状態を示す図１１と同様の断面図である。
【００３２】
なお，この第２実施例において，第１実施例と対応する部分には同一の符号を付すことにより，重複する説明は省略する。
【００３３】
図１０〜図１２に示すように，この第２実施例の場合には，プロテクタ本体７の柄部プロテクト部７ｂの端部７ｃに設けられる大径外周部ｐが図で下側に位置し，小径外周部ｑがその上側に連続して位置するようにされている。その大径外周部ｐ及び小径外周部ｑは，いずれも，大径外周部ｐ側から小径外周部ｑ側に向かって，すなわち図で上方に向かって，漸次大径となるテーパ形状に形成されている。また，キャップ８の内面に設けられる大径内周部ｓは図で下端側に位置し，小径内周部ｔがその上側に連続して位置するようにされている。そして，その小径内周部ｔも，大径内周部ｓ側から小径内周部ｔ側に向かって，すなわち図で上方に向かって，漸次大径となるテーパ形状に形成されている。
【００３４】
その他の構成は第１実施例と同様である。
【００３５】
このようなプロテクタ６をボールジョイント１に取り付けるときには，まず，プロテクタ本体７の柄部プロテクト部７ｂの端部７ｃ外周にキャップ８を嵌合させ，図１１に示すように，キャップ８の内面の大径内周部ｓ及び小径内周部ｔがプロテクタ本体７の柄部プロテクト部７ｂの端部７ｃの大径外周部ｐ及び小径外周部ｑにそれぞれ対向する状態となるようにする。キャップ８の内面の大径内周部ｓ及び小径内周部ｔの各内径と柄部プロテクト部７ｂの端部７ｃの大径外周部ｐ及び小径外周部ｑの各外径とはほぼ等しい大きさとされているので，その状態では，プロテクタ本体７は元の形状で保持される。そこで，その状態でプロテクタ６をボールジョイント１にかぶせる。それによって，図１１に示すように，柄部プロテクト部７ｂ上端のフランジ部１０がボールスタッド２のねじ部２ｃに対向して位置することになる。
【００３６】
このようにしてボールジョイント１にかぶせられたプロテクタ６をそのボールジョイント１に固着させるときには，図１１に矢印で示す方向にキャップ８を押し下げる。そのようにしてキャップ８を軸線方向に移動させると，図１２に示すように，キャップ８の内面の小径内周部ｔが，柄部プロテクト部７ｂの端部７ｃに形成されている大径係合部ｐと係合することになる。したがって，その小径内周部ｔにより，柄部プロテクト部７ｂの端部７ｃが内側に向かって押圧されて変形する。その結果，図１２に示すように，柄部プロテクト部７ｂの上端に設けられているフランジ部１０がボールスタッド２のねじ部２ｃのねじ溝に係合する。こうして，プロテクタ６がボールジョイント１に固着される。
【００３７】
この場合にも，柄部プロテクト部７ｂの端部７ｃは，ボールスタッド２のねじ部２ｃに向かって押圧されるのみで，軸線方向に移動することはないので，その端部７ｃの内面がねじ部２ｃによって削られることはない。したがって，その固着力が低下することはなく，プロテクタ６をボールジョイント１に強固に固定することができる。
【００３８】
また，柄部プロテクト部７ｂの端部７ｃに設けられる大径外周部ｐ及び小径外周部ｑと，キャップ８の内面に設けられる小径内周部ｔとが，いずれも上方ほど大径のテーパ形状に形成されていることにより，キャップ８と柄部プロテクト部７ｂの端部７ｃとが，常にテーパ面で係合することになるので，キャップ８がその位置から軸線方向に移動したりがたついたりすることが防止される。
【００３９】
ボールジョイント１からプロテクタ６を外すときには，キャップ８を上方に向かって引き上げればよい。キャップ８を引き上げると，キャップ８内面の小径内周部ｔがそれとほぼ同径の柄部プロテクト部７ｂの小径外周部ｑに対向することになるので，柄部プロテクト部７ｂの端部７ｃはその弾性により図１１に示すような元の形状に戻る。したがって，そのままプロテクタ６を引き上げることにより，ボールジョイント１から外すことができる。
【００４０】
以上，本発明の好適実施例について説明したが，本発明は，上記実施例に限定されるものではなく，その要旨を逸脱しない範囲で種々の設計変更が可能である。例えば，上記実施例におけるプロテクタ本体７の柄部プロテクト部７ｂ先端のフランジ部１０は，それを省略することもできる。そのようなフランジ部１０がなくても，柄部プロテクト部７ｂの端部７ｃが内側に向けて押圧されることによりその内面がねじ部２ｃに食い込むので，十分な強度を持ってプロテクタ６をボールジョイント１に固着させることができる。
【図面の簡単な説明】
【００４１】
【図１】本発明の第１実施例のプロテクタをボールジョイントにかぶせた状態を示す斜視図。
【図２】図１の矢印２方向から見た平面図。
【図３】図２の３−３線に沿う断面図で，ボールジョイントをコントロールアームに取り付けた状態を示す図。
【図４】プロテクタの分解斜視図。
【図５】プロテクタの縦断面図。
【図６】プロテクタをボールジョイントにかぶせた状態を示す要部の拡大断面図。
【図７】図６の７−７線に沿う断面図。
【図８】プロテクタをボールジョイントに固着した状態を示す図６と同様の断面図。
【図９】図８の９−９線に沿う断面図。
【図１０】本発明の第２実施例のプロテクタを，プロテクタ本体からキャップを外した状態で示す要部の拡大断面図。
【図１１】キャップを装着したプロテクタをボールジョイントにかぶせた状態を示す図１０と同様の断面図。
【図１２】プロテクタをボールジョイントに固着した状態を示す図１１と同様の断面図。
【符号の説明】
【００４２】
１・・・・ボールジョイント
２・・・・ボールスタッド
２ａ・・・球頭部
２ｂ・・・柄部
２ｃ・・・ねじ部
３・・・・ハウジング
４・・・・ブーツ
４ａ・・・大径開口部
４ｂ・・・小径開口部
６・・・・プロテクタ
７・・・・プロテクタ本体
７ａ・・・ブーツプロテクト部
７ｂ・・・柄部プロテクト部
７ｃ・・・端部
８・・・・キャップ
９・・・・スリット
ｐ・・・・大径外周部
ｑ・・・・小径外周部
ｓ・・・・大径内周部
ｔ・・・・小径内周部
【図１】
2005054838.tif 000003
【図２】
2005054838.tif 000004
【図３】
2005054838.tif 000005
【図４】
2005054838.tif 000006
【図５】
2005054838.tif 000007
【図６】
2005054838.tif 000008
【図７】
2005054838.tif 000009
【図８】
2005054838.tif 000010
【図９】
2005054838.tif 000011
【図１０】
2005054838.tif 000012
【図１１】
2005054838.tif 000013
【図１２】
2005054838.tif 000014